【手続補正書】
【提出日】平成19年2月7日(2007.2.7)
【手続補正１】
【補正対象書類名】明細書
【補正対象項目名】特許請求の範囲
【補正方法】変更
【補正の内容】
【特許請求の範囲】
【請求項１】    地点ごとに地点を特定する情報とこの地点に隣接する地点を特定する情報とを関連付けて記憶しているデータベースを備え、２つの地点を特定する情報と上記データベースに記憶されている情報とを用いて当該２つの地点を結ぶ経路の探索が可能な情報処理装置であって、
複数の地点（以下、「出発地点」という。）を特定する情報を入力する入力手段と、
上記入力された複数の出発地点を特定する情報を記憶する記憶手段と、
上記記憶手段に記憶されている複数の出発地点を特定する情報と上記データベースに記憶されている情報とを用いて、これら複数の出発地点の組合せごとの経路を探索する経路探索手段と、
上記探索された経路上の地点を特定する情報を出力する出力手段と、
を有してなり、
上記記憶手段には、上記探索された複数の出発地点の組合せごとの経路上の地点（以下、「目的候補地点」という。）の中から一部の地点（以下、「目的地点」という。）を選択するための条件が記憶されていて、
上記出力手段は、上記記憶手段に記憶されている条件を参照して目的候補地点の中から目的地点を選択し、選択した目的地点を特定する情報を出力することを特徴とする目的地検索装置。
【請求項２】    入力手段から入力される出発地点を特定する情報の数は３以上である請求項１記載の目的地検索装置。
【請求項３】    複数の端末と通信ネットワークを介して接続し、
入力手段は、複数の出発地点を特定する情報のうち、一部の出発地点を特定する情報を上記複数の端末のいずれか一の端末から受信し、他の出発地点を特定する情報をこの一の端末とは別の端末から受信する請求項１または２記載の目的地検索装置。
【請求項４】    別の端末の利用者の電子メールアドレスを一の端末から受信して記憶手段に記憶する手段と、
他の出発地点を特定する情報を入力する画面を作成して記憶手段に記憶する手段と、
上記作成した画面を特定するＵＲＬを記載した電子メールを作成し、上記受信した電子メールアドレスを用いて上記作成した電子メールを上記別の端末に送信し、上記ＵＲＬを上記別の端末から受信したときに上記記憶手段に記憶されている画面を上記別の端末に表示させる手段と、
をさらに備え、
入力手段は、上記画面に入力された他の出発地点を特定する情報を上記別の端末から受信する請求項３記載の目的地検索装置。
【請求項５】    一の端末の利用者から別の端末の利用者へのメッセージを一の端末から受信して記憶手段に記憶する手段と、
上記記憶手段に記憶されているメッセージを別の端末に表示する手段と、
をさらに備えた請求項３または４記載の目的地検索装置。
【請求項６】    記憶手段に記憶されているメッセージは、別の端末に送信される電子メールに記載される請求項４記載の目的地検索装置。
【請求項７】    記憶手段に記憶されているメッセージは、別の端末に表示される画面上に記載される請求項４記載の目的地検索装置。
【請求項８】    出力手段は、目的地点を特定する情報を複数の端末のそれぞれに送信する請求項３乃至７のいずれかに記載の目的地検索装置。
【請求項９】    一部の出発地点を特定する情報と共に、一の端末の利用者の電子メールアドレスと別の端末の利用者の電子メールアドレスとを一の端末から受信して記憶手段に記憶する手段と、
他の出発地点を特定する情報を入力する入力画面を作成して上記記憶手段に記憶する手段と、
上記作成した入力画面を特定するＵＲＬを記載した電子メールを作成し、上記記憶手段に記憶されている別の端末の利用者の電子メールアドレスを用いて上記作成した電子メールを上記別の端末に送信し、上記ＵＲＬを上記別の端末から受信したときに上記記憶手段に記憶されている入力画面を上記別の端末に表示させる手段と、
をさらに備え、
入力手段は、上記入力画面に入力された他の出発地点を特定する情報を上記別の端末から受信し、
出力手段は、目的地点を記載した電子メールを作成し、上記記憶手段に記憶されている一の端末の利用者の電子メールアドレスと別の端末の利用者の電子メールアドレスとを用いて上記作成した電子メールを上記一の端末と別の端末のそれぞれに送信する請求項３記載の目的地検索装置。
【請求項１０】    一部の出発地点を特定する情報と共に、一の端末の利用者の電子メールアドレスと別の端末の利用者の電子メールアドレスとを一の端末から受信して記憶手段に記憶する手段と、
他の出発地点を特定する情報を入力する入力画面を作成して上記記憶手段に記憶する手段と、
上記作成した入力画面を特定するＵＲＬを記載した電子メールを作成し、上記記憶手段に記憶されている別の端末の利用者の電子メールアドレスを用いて上記作成した電子メールを上記別の端末に送信し、上記ＵＲＬを上記別の端末から受信したときに上記記憶手段に記憶されている入力画面を上記別の端末に表示させる手段と、
目的地点を特定する情報を記載した出力画面を作成して上記記憶手段に記憶する手段と、
をさらに備え、
入力手段は、上記入力画面に入力された他の出発地点を特定する情報を上記別の端末から受信し、
出力手段は、上記出力画面を特定するＵＲＬを記載した電子メールを作成し、上記記憶手段に記憶されている一の端末の利用者の電子メールアドレスと別の端末の利用者の電子メールアドレスとを用いて上記作成した電子メールを上記一の端末と別の端末のそれぞれに送信し、上記ＵＲＬを上記一の端末から受信したときに上記記憶手段に記憶されている出力画面を上記一の端末に表示させ、上記ＵＲＬを上記別の端末から受信したときに上記記憶手段に記憶されている出力画面を上記別の端末に表示させる請求項３記載の目的地検索装置。
【請求項１１】    条件を複数の端末のいずれかの端末から受信して記憶手段に記憶する手段をさらに備えた請求項３記載の目的地検索装置。
【請求項１２】    データベースには、地点ごとに地点を特定する情報とこの地点に隣接する地点を特定する情報とに関連付けて地点から隣接する地点までの移動時間が記憶されていて、
出力手段は、目的候補地点の中から複数の出発地点のそれぞれからの移動時間が最小となる地点を目的地点として選択する請求項１乃至１１のいずれかに記載の目的地検索装置。
【請求項１３】    「地点」に代えて「駅」とした請求項１乃至１２のいずれかに記載の目的地検索装置。
【請求項１４】    コンピュータを、請求項１乃至１３のいずれかに記載の目的地検索装置として機能させることを特徴とする目的地検索プログラム。
【手続補正２】
【補正対象書類名】明細書
【補正対象項目名】００１４
【補正方法】変更
【補正の内容】
【００１４】
【課題を解決するための手段】
本発明は、複数の出発地から好適な目的地を検索する方法であって、複数の出発地をサーバに入力するステップと、好適な目的地を検索するための検索条件をサーバに入力するステップと、サーバが、入力された出発地の組合せのすべてについての経路を検索するステップと、サーバが、検索した経路上の地点を目的候補地として抽出するステップと、サーバが、抽出した目的候補地の中から、入力された検索条件に基づき好適な目的地を決定するステップと、サーバが、決定した好適な目的地を出力するステップ、とを有することを特徴とする。
【手続補正３】
【補正対象書類名】明細書
【補正対象項目名】００１５
【補正方法】変更
【補正の内容】
【００１５】
また本発明は、複数の出発地から好適な目的地を検索する装置であって、複数の出発地を受付ける手段と、好適な目的地を検索するための検索条件を受付ける手段と、受付けた出発地の組合せのすべてについての経路を検索する手段と、検索した経路上の地点を目的候補地として抽出する手段と、抽出した目的候補地の中から、受付けた検索条件に基づき好適な目的地を決定する手段と、決定した好適な目的地を出力する手段、とを有してなることを特徴とする。
【手続補正４】
【補正対象書類名】明細書
【補正対象項目名】００１６
【補正方法】変更
【補正の内容】
【００１６】
また本発明は、複数の出発地から好適な目的地を検索するためにコンピュータを、複数の出発地を受付ける手段、好適な目的地を検索するための検索条件を受付ける手段、受付けた出発地の組合せのすべてについての経路を検索する手段、検索した経路上の地点を目的候補地として抽出する手段、抽出した目的候補地の中から、受付けた検索条件に基づき好適な目的地を決定する手段、決定した好適な目的地を出力する手段、として機能させることを特徴とする。
【手続補正５】
【補正対象書類名】明細書
【補正対象項目名】００１７
【補正方法】削除
【補正の内容】